(57)【要約】【課題】面状部材を皺の発生を抑制しながら表面形成部材に対して容易に固定することを可能とした間仕切りを提供する。【解決手段】パネル部２１は、パネル部２１の相対する第１パネル要素２３および第２パネル要素２４と、第１パネル要素２３の４つの角部に対して固定手段２６によって固定される生地要素２５とを備える。第２パネル要素２４は、生地要素２５が第１パネル要素２３に仮止めされた後重ねられる。【選択図】図４
2019035215.tif 000002
【特許請求の範囲】
【請求項１】
パネル部材において、相対する２つの表面のうちの一方の表面を形成する表面形成部材と、
前記表面形成部材に対して部分的に固定される面状部材とを備え、
前記面状部材は、少なくとも前記表面形成部材の４カ所の角部において固定されている
間仕切り。
【請求項２】
前記表面形成部材は、前記面状部材を挟み込むように２枚で構成され、前記２枚の表面形成部材は、前記パネル部材の相対する２つの表面を形成する
請求項１に記載の間仕切り。
【請求項３】
前記２枚の表面形成部材は、厚さが異なる
請求項２に記載の間仕切り。
【請求項４】
前記２枚の表面形成部材は、一方がパネル要素であり、他方が前記パネル要素より薄いシート要素である
請求項３に記載の間仕切り。
【請求項５】
前記面状部材は、装飾シート要素である
請求項１ないし４のうち何れか１項に記載の間仕切り。
【請求項６】
前記面状部材は、前記表面形成部材に対して緊張状態で固定されている
請求項１ないし５のうち何れか１項に記載の間仕切り。
【請求項７】
前記面状部材は、前記表面形成部材に対して固定され、全体が露出している
請求項１に記載の間仕切り。
【請求項８】
パネル部材において、相対する２つの表面のうちの一方の表面を形成するパネル要素と、
前記パネル部材の他方の表面を形成するシート要素と、
前記パネル要素と前記シート要素とに挟み込まれる面状部材と
を備える間仕切り。
【請求項９】
パネル部材において、相対する２つの表面のうちの一方の表面を形成する表面形成部材と、
前記表面形成部材に対して小さい面状部材とを備え、
前記面状部材は、前記表面形成部材に対して部分的に固定される
間仕切り。
【発明の詳細な説明】
【技術分野】
【０００１】
本発明は、パネル部材の表面形成部材に面状部材を固定した間仕切りに関する。
【背景技術】
【０００２】
従来、室内空間を適宜に区画する遮蔽装置としての間仕切りには、パネル部材の表面を形成するパネル要素である表面形成部材に対して生地要素である面状部材を固定したものがある（特許文献１参照）。
【先行技術文献】
【特許文献】
【０００３】
【特許文献１】実開昭６２−１７５１８４号公報
【発明の概要】
【発明が解決しようとする課題】
【０００４】
面状部材は、生地要素などで構成されていることから可撓性を有している。したがって、表面形成部材に対して面状部材を固定する作業をするときなどに、面状部材は、表面形成部材に対して皺が寄りやすい。
【０００５】
本発明は、面状部材を皺の発生を抑制しながら表面形成部材に対して容易に固定することを可能とした間仕切りを提供することを目的とする。
【課題を解決するための手段】
【０００６】
上記課題を解決する間仕切りは、パネル部材において、相対する２つの表面のうちの一方の表面を形成する表面形成部材と、前記表面形成部材に対して部分的に固定される面状部材とを備え、前記面状部材は、少なくとも前記表面形成部材の４カ所の角部において固定されている。
【０００７】
上記間仕切りにおいて、前記表面形成部材は、前記パネル部材は、前記面状部材を挟み込むように２枚で構成され、前記２枚の表面形成部材は、前記パネル部材の相対する２つの表面を形成することが好ましい。
上記間仕切りにおいて、前記２枚の表面形成部材は、厚さが異なることが好ましい。
【０００８】
上記間仕切りにおいて、前記２枚の表面形成部材は、一方がパネル要素であり、他方が前記パネル要素より薄いシート要素であることが好ましい。
上記間仕切りにおいて、前記面状部材は、装飾シート要素であることが好ましい。
【０００９】
上記間仕切りにおいて、前記面状部材は、前記表面形成部材に対して緊張状態で固定されていることが好ましい。
上記間仕切りにおいて、前記面状部材は、前記表面形成部材に対して固定され、全体が露出していることが好ましい。
【００１０】
上記課題を解決する間仕切りは、パネル部材において、相対する２つの表面のうちの一方の表面を形成するパネル要素と、前記パネル部材の他方の表面を形成するシート要素と、前記パネル要素と前記シート要素との挟み込まれる面状部材とを備える。
【００１１】
上記課題を解決する間仕切りは、パネル部材において、相対する２つの表面のうちの一方の表面を形成する表面形成部材と、前記表面形成部材に対して小さい面状部材とを備え、前記面状部材は、前記表面形成部材に対して部分的に固定される。
【発明の効果】
【００１２】
本発明によれば、面状部材を皺の発生を抑制しながら表面形成部材に対して容易に固定することを可能とした間仕切りを提供することができる。
【図面の簡単な説明】
【００１３】
【図１】第１実施形態における間仕切りの正面図。
【図２】第１実施形態における間仕切りの断面図。
【図３】上部ランナおよび上枠部材の要部斜視図。
【図４】パネル部の分解斜視図。
【図５】パネル部材の要部斜視図。
【図６】パネル部材の分解斜視図。
【図７】第２実施形態におけるパネル部の分解斜視図。
【図８】第３実施形態におけるパネル部の分解斜視図。
【図９】第４実施形態におけるパネル部の分解斜視図。
【図１０】第５実施形態におけるパネル部の分解斜視図。
【図１１】（ａ）は固定手段を第１パネル要素に貼り付ける前の状態を示す要部断面図、（ｂ）は固定手段を第１パネル要素に貼り付けた状態を示す要部断面図。
【図１２】第６実施形態におけるパネル部の分解斜視図。
【図１３】第７実施形態におけるパネル部材の分解斜視図。
【図１４】（ａ）〜（ｄ）は生地要素の仮止めの変形例を示す第１パネル素材の正面図。
【図１５】（ａ）〜（ｄ）は生地要素の仮止めの変形例を示す第１パネル素材の正面図。
【発明を実施するための形態】
【００１４】
以下、図１〜図１５を参照して、本発明に係る間仕切りの実施形態について説明する。
〔第１実施形態〕
図１に示すように、間仕切り１は、引戸であって、上部レール２に沿って移動する上部ランナ３からパネル部材４を吊り下げ支持され、パネル部材４は、移動方向である矢印Ｄ１方向に移動する。
【００１５】
図２に示すように、上部レール２は、前壁６ａと、前壁６ａと対向する後壁６ｂと、前壁６ａと後壁６ｂとを繋ぐ上壁６ｃとを備えている。さらに、上部レール２の下面は、長手方向に沿って、支軸１３が挿通されるレール開口部７を備え、レール開口部７を挟んだ両側に、支持片７ａ，７ｂを備えている。上部ランナ３は、上部レール２の内部に、長手方向に沿って移動可能に配置される。支持片７ａ，７ｂは、上部ランナ３のランナ本体１１が移動するレールとなる。一例として、後壁６ｂ側の支持片７ｂは、前壁６ａ側の支持片７ａより厚く形成されている。支持片７ｂにおいて、上部レール２の内部側の支持面は、支持片７ａの内部側の支持面より上部レール２の内部側（すなわち上側）に位置し、レール開口部７に向かって下る傾斜面で構成されている。これにより、上部ランナ３の下面との接触面が減少し、パネル部材４を移動させるための操作力を低減することができる。なお、支持片７ａが支持片７ｂより厚く、上部レール２の内部側（すなわち上側）に位置し、レール開口部７に向かって下る傾斜面で構成してもよい。
【００１６】
図２および図３に示すように、上部ランナ３は、略円形形状を有したランナ本体１１を備えている。ランナ本体１１は、その直径が上部レール２の前壁６ａと後壁６ｂの内面との間隔より小さくなるようにし、また、上部レール２の支持片７ａ，７ｂ（特に支持片７ｂ）に下面が支持されている。このような上部ランナ３は、上部レール２が直線部だけでなく、直線部に対して９０°折曲しその先で直線部と平行となる分岐路を有しているとき、当該分岐路に進入することができる。一例として、１つのパネル部材が２つの上部ランナ３によって吊り下げ支持されているとき、一方の上部ランナ３を直線部に進入させ、他方の上部ランナ３を分岐路に進入させることができる。これにより、パネル面をパネル部材の進行方向に対して直交する方向に向かせ、この状態で上部レール２沿って矢印Ｄ１方向に移動させることができる。
【００１７】
ランナ本体１１は、ランナ本体１１から垂下された支軸１３によってパネル部材４と接続されている。ランナ本体１１には、支軸１３の上端部が固定される。支軸１３の上端部、すなわちランナ本体１１に対する根本部１３ａは、レール開口部７の幅とほぼ一致し、パネル部材４における上部レール２に対して移動方向と交差する方向（図２中横方向）の揺動を抑制している。支軸１３の下端部には、パネル部材４の上枠部材２２が一体的に設けられる。上枠部材２２の上部には、上部ランナ３から垂下された支軸１３を保持する軸保持部材１２が設けられている。軸保持部材１２は、ねじなどの固定部材１４によって上枠部材２２に固定され、支軸１３の下端部を保持する。
【００１８】
パネル部材４は、パネル部２１と、パネル部２１を上部ランナ３に対して支持する上枠部材２２と、下枠部材２７と、縦枠部材５１とを備えている（図１参照）。ここでは、１枚のパネル部材４は、２つの上部ランナ３によって吊り下げ支持されている。
【００１９】
図４に示すように、パネル部２１は、パネル要素の間に生地要素を介在させた複層パネルである。パネル部２１は、第１表面形成部材としての第１パネル要素２３および第２表面形成部材としての第２パネル要素２４と、第１パネル要素２３と第２パネル要素２４との間に配置される面状部材としての生地要素２５とを備えている。ここで、第１パネル要素２３および第２パネル要素２４は、全体が矩形形状を有する板体である。第１パネル要素２３および第２パネル要素２４は、長手方向を上下方向として、第１パネル要素２３および第２パネル要素２４が生地要素２５を挟み込んだ状態で、上縁部２１ａ（図２参照）が上枠部材２２に取り付けられる。
【００２０】
第１パネル要素２３および第２パネル要素２４は、ガラスやポリカーボネート樹脂やアクリル樹脂などの合成樹脂により形成され、透光性を有している。第１パネル要素２３および第２パネル要素２４は、全体が透光性を有していてもよいし、また、一部が透光性を有し、残りが遮光性となるように構成してもよい。また、第１パネル要素２３および第２パネル要素２４には、種々の装飾を施すことができる。ここでは、第１パネル要素２３が、生地要素２５を仮止する接着対象パネルである。
【００２１】
生地要素２５は、第１パネル要素２３および第２パネル要素２４とほぼ同じ大きさと形状を有している。生地要素２５は、織物、編物、不織布などである。また、生地要素２５は、樹脂が含浸加工された織物、編物、不織布などである。樹脂が含浸加工された生地要素２５は、本来柔らかい生地に対して樹脂が含浸加工されることによって、繊維が解れにくくなり、また、皺になりにくくなる。また、生地の伸縮を抑制することができ、これにより、平面性または平坦性に優れ、形状安定性に優れた生地とすることができる。また、樹脂が含浸加工された生地要素２５は、防炎剤を織り込むことで、防炎性能を付加することも可能である。生地要素２５は、無地であってもよいし、柄が付いていてもよい。また、生地要素２５としては、一例として、レース生地や刺しゅう付きの生地などであってもよい。
【００２２】
生地要素２５は、接着層を両面に備えた両面テープ、接着剤、生地要素２５の上から生地要素２５を第１パネル要素２３に対して打ち込むビスやピンといった固定部材などの固定手段２６によって第１パネル要素２３に対して位置合わせされて仮止めされる。両面テープの場合、一方の接着面を第１パネル要素２３に貼り付け、他方の接着面を生地要素２５に対して接着して仮止めする。
【００２３】
第１パネル要素２３および生地要素２５は、同じ大きさの矩形形状を有している。したがって、生地要素２５が固定手段２６により仮止めされる第１パネル要素２３の位置は、一例として、第１パネル要素２３および生地要素２５の各角部、すなわち４つの角部である。換言すると、生地要素２５が固定手段２６により仮止めされる第１パネル要素２３の位置は、第１パネル要素２３の上縁部２３ａの左右方向における両端部、および、下縁部２３ｃの左右方向における両端部である。また、生地要素２５が固定手段２６により仮止めされる第１パネル要素２３の位置は、上縁部２３ａおよび下縁部２３ｃと直交する２つの側縁部２３ｂにおいて、上下方向の両端部である。このように、生地要素２５が固定手段２６により仮止めされる第１パネル要素２３の位置は、生地要素２５を第１パネル要素２３および第２パネル要素２４で挟み込んだ状態に支持するために、上縁部２１ａに配置される上枠部材２２や下縁部２１ｃに配置される下枠部材２７や両側縁部２１ｂに配置される縦枠部材５１によって隠れる場所である。生地要素２５が固定手段２６により仮止めされる第１パネル要素２３の位置は、これらの枠部材２２，２７，５１に隠れる場所とすることで、パネル部材４の外観から固定手段２６を隠すことができる。また、生地要素２５は、４つの角部が固定手段２６で第１パネル要素２３に仮止めされることで、少ない接着面積で、生地要素２５を第１パネル要素２３に対してずれないように仮止めすることができる。また、パネル部材４の完成後においても、下方に向けてずれにくくなる。
【００２４】
製造工程では、第１パネル要素２３の４つの角部に対して固定手段２６が設けられる。この後、第１パネル要素２３には、生地要素２５が重ねられ、生地要素２５の４つの角部が固定手段２６によって仮止めされる。固定手段２６は、生地要素２５を第１パネル要素２３に対して仮止めする際、第１パネル要素２３に設けるのではなく、生地要素２５に設けることもできる。この後、第１パネル要素２３に仮止めされた生地要素２５上には、第２パネル要素２４が重ねられる。第２パネル要素２４も、第１パネル要素２３および生地要素２５と同じ大きさの矩形形状を有している。次いで、生地要素２５を挟んだ第１パネル要素２３および第２パネル要素２４には、周縁部に、上枠部材２２、下枠部材２７および縦枠部材５１が取り付けられる。
【００２５】
図５および図６に示すように、パネル部２１の上縁部２１ａには、上枠部材２２にパネル部２１を取り付けるための支持部材３１を備えている。支持部材３１は、矢印Ｄ１方向に部分的に設けられている。支持部材３１は、略半円柱形状を有した一対の半体３２ａ，３２ｂを備えている。各半体３２ａ，３２ｂは、上縁部２１ａへの当接面３２ｃ，３２ｄが平坦面で形成され、この当接面３２ｃ，３２ｄに対して外側の面が支持面３２ｅ，３２ｆとなり略円柱形状を有している。各半体３２ａ，３２ｂは、上縁部２１ａに固定するための挿通孔３４を有している。また、各半体３２ａ，３２ｂの上端部は、上縁部２１ａに対する位置決めのための係合片３３ａ，３３ｂを備えている。係合片３３ａ，３３ｂは、上縁部２１ａに係合する。当接面３２ｃには、筒状部３６が形成されている。筒状部３６は、内側の孔が挿通孔３４に連続するようにして、当接面３２ｃから突出している。パネル部２１の上縁部２１ａには、第１パネル要素２３に第１取付孔２３ｅが形成され、第２パネル要素２４に第２取付孔２４ａが形成され、生地要素２５には、生地取付孔２５ａが形成されている。なお、生地取付孔２５ａは、第１取付孔２３ｅおよび第２取付孔２４ａより若干小径に形成されている。
【００２６】
第１取付孔２３ｅ、第２取付孔２４ａおよび生地取付孔２５ａは、パネル部２１が重ねられた一体化された状態において、同じ位置に合わされ連通する。そして、半体３２ａは、取付孔２３ｅ，２４ａ，２５ａに対して筒状部３６が挿通されることで仮止めされる。さらに、反対側には、半体３２ｂを配置する。これにより、パネル部２１の上縁部２１ａは、半体３２ａ，３２ｂにより挟み込まれる。この後、半体３２ａからねじ３５ａを半体３２ｂの挿通孔３４に挿通し、半体３２ｂの挿通孔３４においてナット３５ｂを締め付ける。これにより、一対の半体３２ａ，３２ｂは、上縁部２１ａを挟み込むようにして本止めされる。このように、支持部材３１は、上縁部２１ａにおいて、上縁部２１ａの全部ではなく部分的に設けるようにしているので、パネル部２１に歪みが発生することを抑えることができる。
【００２７】
以上のような支持部材３１を支持する上枠部材２２は、パネル部２１の上縁部２１ａの全幅に亘って、一対の支持片４３を備えている。一対の支持片４３は、互いに平行な２つの連結片４２で連結されている。また、一対の支持片４３の下端部の間には、上縁部２１ａが挿入される案内溝４１を備えている。図２に示すように、一対の支持片４３の下端部において、案内溝４１を臨む位置には、支持部材３１を受容する受容部としての受容片４４ａ，４４ｂを備えている。受容片４４ａ，４４ｂは、支持部材３１の支持面３２ｅ，３２ｆに対応した円弧形状の凹部で構成されている。また、一対の支持片４３の内面には、受容片４４ａ，４４ｂと協働して支持部材３１を支持する案内突部４５ａ，４５ｂを備えている。案内突部４５ａ，４５ｂの頂面もまた、支持面３２ｅ，３２ｆに対応した円弧形状の凹部で構成されている。受容片４４ａ，４４ｂおよび案内突部４５ａ，４５ｂは、支持面３２ｅ，３２ｆを支持し、受容片４４ａ，４４ｂの間からは、上縁部２１ａが案内溝４１を通じて下方に延出する。
【００２８】
受容片４４ａ，４４ｂの基端部には、開口端が案内溝４１に臨むように凹部４６ａ，４６ｂが設けられている。凹部４６ａ，４６ｂには、案内溝４１において、その開口端部と上縁部２１ａとの隙間を閉塞する閉塞部材４７ａ，４７ｂが配置される。閉塞部材４７ａ，４７ｂは、上縁部２１ａに当接する当接部４８ａ，４８ｂと、凹部４６ａ，４６ｂに回動可能に係合される回動軸４９ａ，４９ｂとを備えている。閉塞部材４７ａ，４７ｂは、凹部４６ａ，４６ｂにおいて回動軸４９ａ，４９ｂが回動可能に支持されている。当接部４８ａ，４８ｂは、案内溝４１の開口端部と上縁部２１ａとの間の隙間を狭め使用者から見えにくくする。また、閉塞部材４７ａ，４７ｂは、仮に、パネル部２１が揺動することがあっても、当接部４８ａ，４８ｂが上縁部２１ａに当接する。
【００２９】
図６に示すように、上枠部材２２に対しては、縦枠部材５１が取り付けられている。縦枠部材５１は、パネル部２１の上下方向に延びる側縁部２１ｂが係合される取付溝５２と、上枠部材２２の端部に結合するための結合部５３とを備えている。取付溝５２には、側縁部２１ｂがグレチャンなどを介して係合される。結合部５３は、ねじなどの固定部材５７が挿通される挿通孔５４を備えている。
【００３０】
上枠部材２２には、一対の支持片４３を連結する互いに平行な２つの連結片４２に固定部５５が設けられている。上側の連結片４２が備えた固定部５５は、開口端を下向きとしたＣ字形状をしており、下側の連結片４２が備えた固定部５５は、開口端を上向きとしたＣ字形状を有している。上枠部材２２の縦枠部材５１に対する取付端部５６において、固定部５５には、挿通孔５４に挿通された固定部材５７が締め付けられる。これにより、上枠部材２２の取付端部５６には、縦枠部材５１の結合部５３が結合される。また、縦枠部材５１の端部５８には、キャップ部材５９が取り付けられ、端部５８の開口部が閉塞される。
【００３１】
上記第１実施の形態によれば、以下のように列挙する作用効果を得ることができる。
（１−１）パネル部２１は、第１パネル要素２３および第２パネル要素２４で生地要素２５を挟む構成のため、生地要素２５の図柄などのデザインをパネル越しに視認できるようになり、パネル部２１の全体としてのデザイン設計の自由度を高めることができる。
【００３２】
（１−２）固定手段２６は、第１パネル要素２３と生地要素２５との間で用いられ、第２パネル要素２４と生地要素２５との間では使用されない。第２パネル要素２４にも固定手段を設けた場合、生地要素２５と第２パネル要素２４とを張り合わせる際に、生地要素２５に皺が発生してしまうおそれがある。これに対して、パネル部２１では、生地要素２５と第２パネル要素２４との間で固定手段２６を使用しないことから、第２パネル要素２４を生地要素２５に重ねる作業を容易に行うことができる。
【００３３】
（１−３）生地要素２５が第１パネル要素２３に仮止めされる位置は、一例として、第１パネル要素２３および生地要素２５の各角部である。これは、生地要素２５を第１パネル要素２３および第２パネル要素２４で挟み込んだ状態に支持するために上枠部材２２、下枠部材２７および縦枠部材５１によって隠れる場所である。したがって、パネル部材４の外観から固定手段２６を隠すことができ、デザイン設計の自由度を高めることができる。
【００３４】
（１−４）生地要素２５は、固定手段２６で第１パネル要素２３の４つの角部に仮止めされるので、少ない接着面積で、第１パネル要素２３に対してずれないように仮止めされる。
（１−５）生地要素２５は、固定手段２６で第１パネル要素２３の４つの角部に仮止めされるので、パネル部材完成後においても、下方に向けてずれにくくなる。
【００３５】
なお、上記第１実施形態は、以下のように適宜変更して実施することもできる。
・第１パネル要素２３および第２パネル要素２４のうちの何れか一方が透光性を有するパネル要素であり、他方が遮光性のパネル要素であってもよい。この場合にも、透光性を有するパネル要素からは、生地要素２５を視認することができる。
【００３６】
・第１パネル要素２３および第２パネル要素２４において、一部の領域だけが透光性を有し、他の領域が遮光性であってもよい。この場合にも、透光性を有する領域からは、生地要素２５を視認することができる。
・第１パネル要素２３および第２パネル要素２４の各々が複層パネルでもよいし、単層パネルでもよい。
【００３７】
・固定手段２６は、生地要素２５の各角部に加えて、角部と角部の間の領域にも設けるようにしてもよい。また、固定手段２６は、生地要素２５の中央領域にも設けるようにしてもよい。この場合、固定手段２６は、視認されにくくするため、光透過性を有する接着剤や両面テープを用いることが好ましい。これにより、第１パネル要素２３に対してしっかりと仮止めすることができる。生地要素２５が第１パネル要素２３および第２パネル要素２４が挟まれた状態になった際にも、生地要素２５は、第１パネル要素２３および第２パネル要素２４に対して移動しにくい状態となる。
【００３８】
・生地要素２５が固定手段２６により仮止めされる第１パネル要素２３の位置は、上枠部材２２と縦枠部材５１との結合機構や下枠部材２７と縦枠部材５１との結合機構によって、上枠部材２２や下枠部材２７だけによって隠れる位置でもよいし、縦枠部材５１だけによって隠れる位置でもよい。
【００３９】
〔第２実施形態〕
図７に示す第２実施形態のパネル部６１は、第１パネル要素２３および第２パネル要素２４の間に、第１パネル要素２３および第２パネル要素２４より小さな面積の面状部材としての生地要素６２を挟み込む。生地要素６２は、角部を有する形状を有しており、一例として４つの角部を有した矩形形状を有している。矩形形状の生地要素６２は、各側縁部が第１パネル要素２３の対応する各側縁部と平行になるように配置される。生地要素６２は、固定手段２６によって第１パネル要素２３の内面における一部の領域に対して位置合わせされて仮止めされる。生地要素６２が固定手段２６により第１パネル要素２３に仮止めされる位置は、具体的には、生地要素６２の４つの角部とされる。これにより、生地要素６２は、少ない接着面積で、第１パネル要素２３に対してずれないように仮止めされる。
【００４０】
この例では、生地要素６２が第１パネル要素２３および第２パネル要素２４の中央領域、すなわち、上枠部材２２、下枠部材２７および縦枠部材５１によって隠れない領域に配置される。すなわち、生地要素６２は、視認可能な位置に配置される。このため、固定手段２６は、固定手段２６を視認されにくくするため、光透過性を有する接着剤や両面テープを用いることが好ましい。
【００４１】
生地要素６２が第１パネル要素２３に仮止めされる位置は、生地要素６２の大きさにより決まるものであり、少なくとも生地要素６２の４つの角部を含めば、他の位置は、特に限定されるものではない。すなわち、第１パネル要素２３より小さくても、図７の例よりも大きい生地要素６２の場合、生地要素６２が第１パネル要素２３に仮止めされる位置は、生地要素６２の角部を含む５カ所以上とすることもできる。
固定手段２６は、生地要素６２を第１パネル要素２３に対して仮止めする際、生地要素６２に設けてもよいし、第１パネル要素２３に設けてもよい。
【００４２】
上記第２実施の形態によれば、以下のように列挙する作用効果を得ることができる。
（２−１）パネル部６１の全体に対して部分的に生地要素６２の図柄などをパネル越しに視認できるようになり、第１パネル要素２３および第２パネル要素２４と生地要素６２のデザインとでデザイン設計の自由度を一層高めることができる。
【００４３】
なお、上記第２実施形態は、以下のように適宜変更して実施することもできる。
・第１パネル要素２３および第２パネル要素２４のうちの何れか一方が透光性を有するパネル要素であり、他方が遮光性のパネル要素であってもよい。この場合にも、透光性を有するパネル要素からは、生地要素６２を視認することができる。
・第１パネル要素２３および第２パネル要素２４は、少なくとも生地要素６２と重なる領域の少なくとも一部が透光性を有していればよい。
【００４４】
・第１パネル要素２３および第２パネル要素２４の各々が複層パネルでもよいし、単層パネルでもよい。
・パネル部６１は、生地要素６２を、第１パネル要素２３および第２パネル要素２４の間において、デザイン設計の観点などから、複数の異なる領域に配置するようにしてもよい。
【００４５】
・生地要素６２としては、第１パネル要素２３および第２パネル要素２４より小さな面積であれば、矩形形状の他に、五角形形状や六角形形状といった多角形形状であってもよい。生地要素６２が何れの五角形以上の多角形形状の場合であっても、少なくとも固定手段２６が少なくも４つの角部を第１パネル要素２３に対して固定していればよい。また、三角形形状や角部を備えない真円、楕円などの円形形状を有していてもよい。
【００４６】
・生地要素６２の各側縁部が第１パネル要素２３の対応する各側縁部と非平行になるように配置されていてもよい。仮止め位置がどのような位置であっても、生地要素６２を２つの角部で仮止めしただけでは生地要素６２の仮止めがずれやすい場合、さらに、他の領域を固定手段２６で固定するようにすればよい。
【００４７】
〔第３実施形態〕
図８に示す第３実施形態のパネル部７１は、第１パネル要素７２と第２パネル要素７３との厚さが異なる。ここでは、第１パネル要素７２が第１厚さを有し、第２パネル要素７３が第２厚さを有し、第２厚さの方が第１厚さより小さく設定されている。換言すると、第１パネル要素７２の方が第２パネル要素７３よりも厚く形成されている。一例として、第１パネル要素７２は、生地要素２５が仮止めされるベースとなるため、第２パネル要素７３より厚く、しっかりと生地要素２５を仮止めできる。そして、第１パネル要素７２と第２パネル要素７３との間には、生地要素２５が介在される。なお、厚い方の第１パネル要素７２を、単層パネルではなく複層パネルで構成することもできる。
【００４８】
上記第３実施の形態によれば、以下のように列挙する作用効果を得ることができる。
（３−１）第１パネル要素７２と第２パネル要素７３との厚さを異ならせることで、パネル部材４としての用途を広げることができる。一例として、厚い方の第１パネル要素７２は、割れにくくなることで、防犯パネルとして利用することもできる。
【００４９】
なお、上記第３実施形態は、以下のように適宜変更して実施することもできる。
・固定手段２６は、生地要素２５を第１パネル要素７２に対して仮止めする際、第１パネル要素７２に設けるのではなく、生地要素２５に設けることもできる。
・第１パネル要素７２および第２パネル要素７３のうちの何れか一方が透光性を有するパネル要素であり、他方が遮光性のパネル要素であってもよい。この場合にも、透光性を有するパネル要素からは、生地要素２５を視認することができる。
・第１パネル要素７２および第２パネル要素７３は、少なくとも生地要素２５と重なる領域の少なくとも一部が透光性を有していればよい。
・第２パネル要素７３の方が第１パネル要素７２よりも厚く形成されていてもよい。
【００５０】
・固定手段２６は、生地要素２５の各角部に加えて、角部と角部の間の領域にも設けるようにしてもよい。また、固定手段２６は、生地要素２５の中央領域にも設けるようにしてもよい。この場合、固定手段２６は、視認されにくくするため、光透過性を有する接着剤や両面テープを用いることが好ましい。
【００５１】
・第１パネル要素７２および第２パネル要素７３に挟まれる面状部材としては、第２実施形態で示した生地要素６２のように第１パネル要素７２および第２パネル要素７３より小さな面積であっても良い。生地要素２５は、第１パネル要素７２および第２パネル要素７３の間に１枚挟まれているだけでもよいし、複数枚が異なる領域に挟まれているようにしてもよい。
・第１パネル要素７２および第２パネル要素７３の各々が複層パネルでもよいし、単層パネルでもよい。
【００５２】
〔第４実施形態〕
図９に示す第４実施形態のパネル部８１は、第１パネル要素２３および第２パネル要素２４に、面状部材として、生地要素２５ではなく装飾シート要素８２が挟まれる。装飾シート要素８２は、生地要素２５と同じような厚みを有する可撓性を有した合成樹脂シートであって、表面には、図柄が印刷されている。また、装飾シート要素８２は、表面に、図柄が印刷されたシートである。図柄としては、特に限定されないが、一例として、木目調である。ここでの装飾シート要素８２は、第１パネル要素２３および第２パネル要素２４と同じ大きさである。
【００５３】
上記第４実施の形態によれば、以下のように列挙する作用効果を得ることができる。
（４−１）面状部材として、装飾シート要素８２を用いることで、装飾シート要素８２の図柄などのデザインをパネル越しに視認できるようになり、パネル部８１の全体としてのデザイン設計の自由度を高めることができる。
【００５４】
なお、上記第４実施形態は、以下のように適宜変更して実施することもできる。
・固定手段２６は、装飾シート要素８２を第１パネル要素２３に対して仮止めする際、第１パネル要素２３に設けるのではなく、装飾シート要素８２に設けることもできる。
・第１パネル要素２３および第２パネル要素２４のうちの何れか一方が透光性を有するパネル要素であり、他方が遮光性のパネル要素であってもよい。この場合にも、透光性を有するパネル要素からは、装飾シート要素８２の図柄を視認することができる。
・第１パネル要素２３および第２パネル要素２４は、少なくとも装飾シート要素８２と重なる領域の少なくとも一部が透光性を有していればよい。
・第１パネル要素２３および第２パネル要素２４の各々が複層パネルでもよいし、単層パネルでもよい。
【００５５】
・固定手段２６は、装飾シート要素８２の各角部に加えて、角部と角部の間の領域にも設けるようにしてもよい。また、固定手段２６は、装飾シート要素８２の中央領域にも設けるようにしてもよい。この場合、固定手段２６は、視認されにくくするため、光透過性を有する接着剤や両面テープを用いることが好ましい。
【００５６】
・第１パネル要素２３および第２パネル要素２４に挟まれる面状部材としては、第２実施形態で示したような第１パネル要素２３および第２パネル要素２４より小さな面積の装飾シート要素８２であってもよい。装飾シート要素８２は、第１パネル要素２３および第２パネル要素２４の間に１枚挟まれているだけでもよいし、複数枚が異なる位置に挟まれていてもよい。
・表面形成部材としては、厚さの異なる第１パネル要素２３と第２パネル要素２４であってもよい。
【００５７】
〔第５実施形態〕
図１０に示す第４実施形態のパネル部９１は、第１パネル要素２３に対して生地要素２５を第１実施形態の場合より緊張した状態で固定する。すなわち、固定手段９２は、生地要素２５の全て（ここでは４つ）の角部に設けられる。この際、図１１（ａ）に示すように、固定手段９２は、一例として、片面に接着層を備えた片面テープであり、第１パネル要素２３から外周側にはみ出すように設けられる。そして、生地要素２５は、第１パネル要素２３に対して重ねられる。図１１（ｂ）に示すように、固定手段９２は、第１パネル要素２３の外周縁部を内面から外面側に向けて引っ張るように（図中矢印方向）貼り付けられる。これにより、第１パネル要素２３には、第１実施形態よりも緊張した状態で生地要素２５が仮止めされることになる。
【００５８】
この後、第１パネル要素２３に仮止めされた生地要素２５上には、第２パネル要素２４が重ねられる。次いで、生地要素２５を挟んだ第１パネル要素２３および第２パネル要素２４には、周縁部に、上枠部材２２、縦枠部材５１、および、下枠部材２７が取り付けられる。固定手段９２は、その一部が第１パネル要素２３の表面側外周部に露出することになるが、この部分は、上枠部材２２、縦枠部材５１、および、下枠部材２７によって隠れることになる。
【００５９】
上記第５実施の形態によれば、以下のように列挙する作用効果を得ることができる。
（５−１）固定手段９２によって、生地要素２５は、第１パネル要素２３に対して緊張した状態で固定されるので、第２パネル要素２４を重ねるときにも、生地要素２５に皺が発生しにくくなる。
（５−２）固定手段９２における第１パネル要素２３の外周部に露出した部分は、上枠部材２２、縦枠部材５１、および、下枠部材２７によって隠れる。したがって、パネル部９１の見栄えが悪化することも抑えることができる。
【００６０】
なお、上記第５実施形態は、以下のように適宜変更して実施することもできる。
・固定手段９２は、第１パネル要素２３から外周側にはみ出さないようにしてもよい。これにより、固定手段９２の使用量を少なくすることができる。
・面状部材としては、生地要素２５ではなく、装飾シート要素８２であってもよい。
・第１パネル要素２３および第２パネル要素２４のうちの何れか一方が透光性を有するパネル要素であり、他方が遮光性のパネル要素であってもよい。この場合にも、透光性を有するパネル要素からは、生地要素２５の図柄を視認することができる。
・第１パネル要素２３および第２パネル要素２４は、少なくとも生地要素２５と重なる領域の少なくとも一部が透光性を有していればよい。
・第１パネル要素２３および第２パネル要素２４の各々が複層パネルでもよいし、単層パネルでもよい。
【００６１】
・固定手段９２は、生地要素２５や装飾シート要素８２を緊張した状態で仮止めできるのであれば、生地要素２５や装飾シート要素８２の全ての角部に設けていなくてもよい。一例として、生地要素２５や装飾シート要素８２において、隣り合う２つの角部は、固定手段２６によって仮止めし、固定手段２６と反対側に位置する２つの角部は、固定手段９２を設けるようにしてもよい。このような方法によっても、生地要素２５を第１パネル要素２３に対して緊張した状態で固定することができる。
【００６２】
〔第６実施形態〕
図１２に示す第６実施形態のパネル部１０１は、表面形成部材としてのパネル要素１０２と、パネル要素１０２上に配置される生地要素２５とを備えている。そして、この実施形態では、生地要素２５の上にはさらにパネル要素が重ねられていない。この場合、パネル要素１０２には、生地要素２５が仮止めではなく、しっかりと強固に固定される。すなわち、パネル要素１０２の４つの角部には、固定手段１０４が設けられる。固定手段１０４は、仮止めのための固定手段２６より接着力が高い両面テープや接着剤が用いられ、パネル要素１０２に対して強固に接着される。この後、生地要素２５が固定されたパネル要素１０２には、周縁部に、上枠部材２２、縦枠部材５１、および、下枠部材２７が取り付けられる。
【００６３】
上記第６実施の形態によれば、以下のように列挙する作用効果を得ることができる。
（６−１）パネル部１０１は、一方の表面がパネル要素１０２であり、他方の表面が生地要素２５である。したがって、生地要素２５の全体が露出していることで、触感をパネル部１０１の一方の表面と他方の方面とで異ならせることができる。
（６−２）パネル部１０１は、パネル要素を１枚備えているだけなので、全体として軽量化することができる。
【００６４】
なお、上記第６実施形態は、以下のように適宜変更して実施することもできる。
・固定手段１０４は、生地要素２５をパネル要素１０２に対して仮止めする際、パネル要素１０２に設けるのではなく、生地要素２５に設けることもできる。
・面状部材としては、生地要素２５ではなく、装飾シート要素８２であってもよい。
・パネル要素１０２は、全体が透光性を有していてもよいし、全体が遮光性であってもよい。また、パネル要素１０２は、生地要素２５や装飾シート要素８２と重なる領域の少なくとも一部が透光性を有していればよい。
・面状部材としては、パネル要素１０２より小さな面積の生地要素６２であってもよい。
・パネル要素１０２より小さな面積の生地要素６２は、パネル要素１０２に対して複数の異なる領域に配置されるようにしてもよい。
・パネル要素１０２は、単層パネルでもよいし、複層パネルであってもよい。
【００６５】
〔第７実施形態〕
図１３に示す第７実施形態のパネル部１１１は、パネル要素１０２に固定された生地要素２５の上にシート要素１１２を重ね、生地要素２５をパネル要素１０２およびシート要素１１２とで挟み込むものである。シート要素１１２は、一例として、パネル要素１０２より薄い透光性を有する合成樹脂シートである。また、シート要素１１２は、全体が透光性を有していてもよいし、また、一部が透光性を有し、残りが遮光性となるように構成してもよい。また種々の装飾を施すことができる。
【００６６】
パネル要素１０２には、４つの角部に対して固定手段２６が設けられる。そして、パネル要素１０２には、生地要素２５が重ねられ、生地要素２５の４つの角部が固定手段２６によって仮止めされる。この後、パネル要素１０２に仮止めされた生地要素２５上には、シート要素１１２が重ねられる。次いで、生地要素２５を挟んだパネル要素１０２およびシート要素１１２には、周縁部に、上枠部材２２、下枠部材２７および縦枠部材５１が取り付けられる。
【００６７】
上記第７実施の形態によれば、以下のように列挙する作用効果を得ることができる。
（７−１）生地要素２５の上にシート要素１１２を重ねる構成としたことで、生地要素２５が汚損することを抑えることができる。
（７−２）パネル部１１１は、生地要素２５をパネル要素１０２とパネル要素１０２より軽いシート要素１１２で挟み込む構成としたことで、全体として軽量化することができる。
【００６８】
なお、上記第７実施形態は、以下のように適宜変更して実施することもできる。
・固定手段２６は、生地要素２５をパネル要素１０２に対して仮止めする際、パネル要素１０２に設けるのではなく、生地要素２５に設けることもできる。
・面状部材としては、生地要素２５ではなく、装飾シート要素８２であってもよい。
・パネル要素１０２およびシート要素１１２は、生地要素２５を視認できるように、全体が遮光性であってもよい。また、パネル要素１０２およびシート要素１１２は、生地要素２５や装飾シート要素８２と重なる領域の少なくとも一部が透光性を有していればよい。
・面状部材としては、パネル要素１０２より小さな面積の生地要素６２であってもよい。シート要素１１２は、生地要素６２を保護する観点からは、少なくとも、パネル要素１０２より小さな面積の生地要素６２を覆うことができる大きさであればよい。
・第７実施形態において、生地要素２５のパネル要素１０２に対する仮止め位置は、特に限定されるものではない。一例として、仮止め位置は、生地要素２５をパネル要素１０２の複数の角部において固定してもよい。
【００６９】
さらに、上記第１実施形態〜第７実施形態は、以下のように適宜変更して実施することもできる。
〔生地要素の仮止めの変形例〕
生地要素が仮止めされるパネル要素の位置は、次のような位置であってもよい。ここでは、第１実施形態の変形例として説明するが、第３実施形態〜第７実施形態にも適用可能である。また、ここでは、第１パネル要素２３に固定手段２６を設けるようにしているが、固定手段２６は、生地要素２５に設けるようにしてもよい。
【００７０】
生地要素２５は、第１パネル要素２３の少なくとも４つの角部に対して仮止めされればよい。図１４（ａ）に示すように、第１パネル要素２３には、上縁部２３ａ沿って直線形状の固定手段２６を設け、さらに、下縁部２３ｃに沿って直線形状の固定手段２６を設ける。上縁部２３ａの固定手段２６は、上縁部２３ａの両側の角部を含む長さに設けられ、下縁部２３ｃの固定手段２６は、下縁部２３ｃの両側の角部を含む長さに設けられる。これにより、上縁部２３ａおよび下縁部２３ｃの固定手段２６は、第１パネル要素２３の４つの角部を含むように設けられる。そして、上縁部２３ａおよび下縁部２３ｃに固定手段２６に設けられた第１パネル要素２３には、生地要素２５が重ねられ仮止めされる。
【００７１】
さらに、第１パネル要素２３には、上縁部２３ａおよび下縁部２３ｃに加えて側縁部２３ｂに固定手段２６を設けることもできる。２つの側縁部２３ｂは、上縁部２３ａおよび下縁部２３ｃに比べて長い。したがって、十分な接着力を得られるのであれば、２つの側縁部２３ｂには、上下方向全体に亘って設けるのではなく、一部に設けるだけでもよい（図中二点鎖線で示した部分）。また、一方の側縁部２３ｂの固定手段２６と他方の側縁部２３ｂの固定手段２６は、上下方向における同じ高さ位置に設けなくてもよい。図１４（ａ）に示すように、異なる高さ位置に設けることもできる。
【００７２】
また、図１４（ｂ）に示すように、第１パネル要素２３には、上縁部２３ａ沿って直線形状の固定手段２６を設け、下縁部２３ｃは、両側の角部に固定手段２６を設けるだけでもよい。生地要素２５は、上縁部２３ａの接着面積を下縁部２３ｃより大きくすることで、パネル部材完成後においても、下方に向けてずれにくくなる。
【００７３】
さらに、第１パネル要素２３には、上縁部２３ａおよび下縁部２３ｃに加えて側縁部２３ｂに固定手段２６を設けることもできる。側縁部２３ｂの固定手段２６は、上下方向の一部に設けられる。なお、図１４（ｂ）では、図１４（ａ）と比較して、固定手段２６を設ける位置が上下逆となっている。
【００７４】
また、図１４（ｃ）に示すように、第１パネル要素２３の上縁部２３ａに固定手段２６を２分割して設けるようにしている。このような配置によっても、固定手段２６が上縁部２３ａの両側の角部を含むように設けることができる。なお、下縁部２３ｃは、両側の角部に固定手段２６を設けている。このような構成によっても、生地要素２５は、上縁部２３ａの接着面積が下縁部２３ｃより大きくなり、パネル部材完成後においても、下方に向けてずれにくくなる。なお、上縁部２３ａの２つの固定手段２６は、同じ長さであってもよいし、異なる長さであってもよい。
さらに、図１４（ｄ）に示すように、第１パネル要素２３の上縁部２３ａに固定手段２６を３分割して設けるようにしてもよい。なお、上縁部２３ａの３つの固定手段２６は、同じ長さであってもよいし、異なる長さであってもよい。
【００７５】
さらに、図１５（ａ）では、第１パネル要素２３の上縁部２３ａにおいて、図中左上角部を含む固定手段２６は、上縁部２３ａに沿って左上角部から右上角部に向かって１／３程度の位置まで延びるように設けられている。また、図中右上角部を含む固定手段２６は、右の側縁部２３ｂに沿って右上角部から右下角部に向かって１／５程度の位置まで延びるように設けられている。さらに、右下角部を含む固定手段２６は、下縁部２３ｃに沿って右下角部から左下角部に向かって１／３程度の位置まで延びるように設けられている。さらにまた、図中左下角部を含む固定手段２６は、左の側縁部２３ｂに沿って左下角部から左上角部に向かって１／５程度の位置まで延びるように設けられている。このような構成によっても、固定手段２６は、第１パネル要素２３の４つの角部を含むように設けることができる。
【００７６】
なお、図１５（ａ）の変形例として、左上角部を含む固定手段２６および右下角部を含む固定手段２６は、側縁部２３ｂに沿って設けるようにし、右上角部を含む固定手段２６は、上縁部２３ａに沿って設けるようにし、左下を含む固定手段２６は、下縁部２３ｃに沿って設けるようにしてもよい。
【００７７】
図１５（ｂ）では、図中左上角部を含む固定手段２６が、上縁部２３ａおよび左の側縁部２３ｂに沿うＬ字形状に設けられ、図中右下角部を含む固定手段２６が、下縁部２３ｃおよび右の側縁部２３ｂに沿うＬ字形状に設けられている。また、図中右上角部を含む固定手段２６が、右の側縁部２３ｂに沿って右上角部から右下角部に向かって１／５程度の位置まで延びるように設けられている。さらに、図中左下角部を含む固定手段２６が、左の側縁部２３ｂに沿って左下角部から左上角部に向かって１／５程度の位置まで延びるように設けられている。このような構成によっても、固定手段２６は、第１パネル要素２３の４つの角部を含むように設けることができる。
【００７８】
なお、図１５（ｂ）の変形例として、図中右上角部および左下角部を含む固定手段２６をＬ字形状とし、左上角部および右下角部を含む固定手段２６を側縁部２３ｂに沿うように直線形状に設けるようにしてもよい。
【００７９】
図１５（ｃ）では、図中左上角部を含む固定手段２６が、上縁部２３ａおよび左の側縁部２３ｂに沿うＬ字形状に設けられ、図中右上角部を含む固定手段２６が、上縁部２３ａおよび右の側縁部２３ｂに沿うＬ字形状に設けられている。また、右下角部を含む固定手段２６が、下縁部２３ｃおよび右の側縁部２３ｂに沿うＬ字形状に設けられ、図中左下角部を含む固定手段２６が、下縁部２３ｃおよび左の側縁部２３ｂに沿うＬ字形状に設けられている。このような構成によっても、固定手段２６は、第１パネル要素２３の４つの角部を含むように設けることができる。
【００８０】
図１５（ｄ）では、第１パネル要素２３の図中左上角部には、左上角部の形状と合うように三角形状の固定手段２６が設けられている。同様に、図中右上角部には、右上角部の形状と合うように三角形状の固定手段２６が設けられ、図中右下角部には、右下角部の形状と合うように三角形状の固定手段２６が設けられ、図中左下角部には、左下角部の形状と合うように三角形状の固定手段２６が設けられている。これら４つの固定手段２６は、角部の形状と合致するように、直角三角形状であることが好ましく、この場合、固定手段２６の三角形の直角の角が第１パネル要素２３の角部に合わされる。このような構成によっても、固定手段２６は、第１パネル要素２３の４つの角部を含むように設けることができる。
【００８１】
〔第１実施形態〜第７実施形態のその他の変形例〕
・縦枠部材５１を省略する構成とした場合、支持部材３１は、上枠部材２２に対して揺動可能である。すなわち、支持部材３１は、上縁部２１ａに取り付けられると略円柱形状となる。そして、支持部材３１は、上枠部材２２の受容片４４ａ，４４ｂによって支持されることで、揺動可能となる。これにより、例えば、パネル部２１，６１，７１，８１，９１，１０１，１１１は、上枠部材２２に対して揺動することで、異物が当たり外力が加わったとしても破損しにくくなる。
この場合、縦枠部材５１、および、下枠部材２７は、弾性を有する部材などで構成した緩衝部材で構成してもよい。
【００８２】
・パネル部が上部ランナによって吊り下げ支持されるのではなく、下部レールに沿って移動する下部ランナに支持される間仕切りにも適用可能である。
・上部レール２に矢印Ｄ１方向に移動可能に吊り下げ支持されるパネル部材の枚数は特に限定されるものではない。
【００８３】
・上部ランナ３の構成は、ランナ本体に４個の車輪が回転可能に支持され、車輪が上部レール２内をほぼ上下動不能な状態で支持片７ａ上を転動するものであってもよい。
・レールに沿って移動しない間仕切りにも適用することができる。一例として、パーティションのような移動しない間仕切りや、出入り口のドア枠の開口部に蝶番などによって回動可能に取り付けられる扉などにも適用することができる。
・間仕切りとしては、引戸の他、折引戸であってもよい。
【符号の説明】
【００８４】
１…間仕切り、２…上部レール、３…上部ランナ、４…パネル部材、６ａ…前壁、６ｂ…後壁、６ｃ…上壁、７…レール開口部、７ａ…支持片、７ｂ…支持片、１１…ランナ本体、１２…軸保持部材、１３…支軸、１３ａ…根本部、１４…固定部材、２１…パネル部、２１ａ…上縁部、２１ｂ…側縁部、２１ｃ…下縁部、２２…上枠部材、２３…第１パネル要素、２３ａ…上縁部、２３ｂ…側縁部、２３ｃ…下縁部、２３ｅ…第１取付孔、２４…第２パネル要素、２４ａ…第２取付孔、２５…生地要素、２５ａ…生地取付孔、２５ａ…取付孔、２６…固定手段、２７…下枠部材、３１…支持部材、３２ａ…半体、３２ｂ…半体、３２ｃ…当接面、３２ｄ…当接面、３２ｅ…支持面、３２ｆ…支持面、３３ａ…係合片、３３ｂ…係合片、３４…挿通孔、３５ａ…ねじ、３５ｂ…ナット、３６…筒状部、４１…案内溝、４２…連結片、４３…支持片、４４ａ…受容片、４４ｂ…受容片、４５ａ…案内突部、４５ｂ…案内突部、４６ａ…凹部、４６ｂ…凹部、４７ａ…閉塞部材、４７ｂ…閉塞部材、４８ａ…当接部、４８ｂ…当接部、４９ａ…回動軸、４９ｂ…回動軸、５１…縦枠部材、５１…枠部材、５２…取付溝、５３…結合部、５４…挿通孔、５５…固定部、５６…取付端部、５７…固定部材、５８…端部、５９…キャップ部材、６１…パネル部、６２…生地要素、７１…パネル部、７２…第１パネル要素、７３…第２パネル要素、８１…パネル部、８２…装飾シート要素、９１…パネル部、９２…固定手段、１０１…パネル部、１０２…パネル要素、１０４…固定手段、１１１…パネル部、１１２…シート要素。
【図１】
2019035215.tif 000003
【図２】
2019035215.tif 000004
【図３】
2019035215.tif 000005
【図４】
2019035215.tif 000006
【図５】
2019035215.tif 000007
【図６】
2019035215.tif 000008
【図７】
2019035215.tif 000009
【図８】
2019035215.tif 000010
【図９】
2019035215.tif 000011
【図１０】
2019035215.tif 000012
【図１１】
2019035215.tif 000013
【図１２】
2019035215.tif 000014
【図１３】
2019035215.tif 000015
【図１４】
2019035215.tif 000016
【図１５】
2019035215.tif 000017